(57)【要約】【課題】従来の技術による諸問題を解決するため、種々の方向にある画像を取り込める、特に使用者自身を撮れるデジタル画像取り込み装置を提供する。【解決手段】デジタル画像取り込み装置は、ハウジングと、ハウジングの前側に設けられてハウジングの前側からの光線を入力するための第一入光孔と、ハウジングの裏側に設けられてハウジングの裏側からの光線を入力するための第二入光孔と、ハウジング内に設けられて第一入光孔から入力された光線または第二入光孔から入力された光線を反射するための反射鏡モジュールと、ハウジング内に設けられて反射鏡モジュールからの光線を感知するためのフォトセンサーと、ハウジング内に設けられてフォトセンサーに感知された光線によって画像を生じさせるための画像発生モジュールとを含む。【選択図】図６
2005110196.tif 000002
【特許請求の範囲】
【請求項１】
デジタル画像取り込み装置であって、該デジタル画像取り込み装置は、
ハウジングと、
ハウジングの前側に設けられてハウジングの前側からの光線を入力するための第一入光孔と、
ハウジングの裏側に設けられてハウジングの裏側からの光線を入力するための第二入光孔と、
ハウジング内に設けられて第一入光孔から入力された光線または第二入光孔から入力された光線を反射するための反射鏡モジュールと、
ハウジング内に設けられて反射鏡モジュールからの光線を感知するためのフォトセンサーと、
ハウジング内に設けられてフォトセンサーに感知された光線によって画像を生じさせるための画像発生モジュールとを含むことを特徴とするデジタル画像取り込み装置。
【請求項２】
前記デジタル画像取り込み装置は更に、反射鏡モジュールとフォトセンサーとの間に設けられて反射鏡モジュールからの光線をフォトセンサーに集束するためのレンズセットを含むことを特徴とする請求項１記載のデジタル画像取り込み装置。
【請求項３】
前記デジタル画像取り込み装置は更に、第一入光孔と反射鏡モジュールとの間に設けられて第一入光孔からの光線をフォトセンサーに集束するための第一レンズセットと、第二入光孔と反射鏡モジュールとの間に設けられて第二入光孔からの光線をフォトセンサーに集束するための第二レンズセットとを含むことを特徴とする請求項１記載のデジタル画像取り込み装置。
【請求項４】
前記反射鏡モジュールは更に、
第一軸を中心に回転する台座と、
台座の第一側に設けられて第一入光孔からの光線をフォトセンサーに反射するための第一反射鏡と、
台座の第二側に設けられて第二入光孔からの光線をフォトセンサーに反射するための第二反射鏡と、
台座の前側及び両反射鏡の間に設けられて台座につれて回転し、デジタル画像取り込み装置に必要な光線を提供するためのストロボを含むことを特徴とする請求項１記載のデジタル画像取り込み装置。
【請求項５】
前記第一軸が台座と垂直することを特徴とする請求項４記載のデジタル画像取り込み装置。
【請求項６】
前記第一反射鏡と第二反射鏡の法線が直交することを特徴とする請求項４記載のデジタル画像取り込み装置。
【請求項７】
前記反射鏡モジュールは更に、
第二軸を中心に回転する台座と、
台座の一側に設けられて第一入光孔または第二入光孔からの光線をフォトセンサーに反射するための反射鏡と、
台座に設けられて台座につれて回転し、デジタル画像取り込み装置に必要な光線を提供するためのストロボを含むことを特徴とする請求項１記載のデジタル画像取り込み装置。
【請求項８】
前記第二軸と反射鏡の法線の夾角が４５度であることを特徴とする請求項７記載のデジタル画像取り込み装置。
【請求項９】
前記反射鏡モジュールは更に、
第三軸を中心に回転する反射鏡と、
ハウジングの前側に設けられて、反射鏡が第一入光孔からの光線をフォトセンサーに反射できるような角度に回るときに、デジタル画像取り込み装置に必要な光線を提供するための第一ストロボと、
ハウジングの裏側に設けられて、反射鏡が第二入光孔からの光線をフォトセンサーに反射できるような角度に回るときに、デジタル画像取り込み装置に必要な光線を提供するための第二ストロボとを含むことを特徴とする請求項１記載のデジタル画像取り込み装置。
【請求項１０】
前記第三軸が反射鏡の法線と垂直することを特徴とする請求項９記載のデジタル画像取り込み装置。
【請求項１１】
前記反射鏡モジュールは更に、
上下に配列されて法線が直交するような第一反射鏡及び第二反射鏡と、
ハウジング内に設けられて、第一反射鏡が第一入光孔からの光線をフォトセンサーに反射できるような角度に移動するときに、デジタル画像取り込み装置に必要な光線を提供するための第一ストロボと、
ハウジング内に設けられて、第二反射鏡が第二入光孔からの光線をフォトセンサーに反射できるような角度に移動するときに、デジタル画像取り込み装置に必要な光線を提供するための第二ストロボとを含み、そのうち第一反射鏡と、第二反射鏡と、第一ストロボと、第二ストロボとはフォトセンサーに対して上下に移動でき、よってフォトセンサーが第一反射鏡または第二反射鏡に反射された光線を受けることを特徴とする請求項１記載のデジタル画像取り込み装置。
【請求項１２】
前記第一入光孔と第二入光孔にミラーが取り付けられることを特徴とする請求項１記載のデジタル画像取り込み装置。
【請求項１３】
前記デジタル画像取り込み装置がデジタルカメラまたはデジタルカムコーダーであることを特徴とする請求項１記載のデジタル画像取り込み装置。
【請求項１４】
デジタル画像取り込み装置であって、該デジタル画像取り込み装置は、
ハウジングと、
ハウジングの前側から裏側に移動できるようにハウジングに設けられて、ハウジングの前側または裏側からの光線を入力するための入光レンズと、
ハウジング内に設けられて入光レンズから入力された光線を反射するための反射鏡モジュールと、
ハウジング内に設けられて反射鏡モジュールからの光線を感知するためのフォトセンサーと、
ハウジング内に設けられてフォトセンサーに感知された光線によって画像を生じさせるための画像発生モジュールとを含むことを特徴とするデジタル画像取り込み装置。
【請求項１５】
前記デジタル画像取り込み装置は更に、反射鏡モジュールとフォトセンサーとの間に設けられて反射鏡モジュールからの光線をフォトセンサーに集束するためのレンズセットを含むことを特徴とする請求項１４記載のデジタル画像取り込み装置。
【請求項１６】
前記反射鏡モジュールは入光レンズにつれて移動できるようにハウジング内に設けられることを特徴とする請求項１４記載のデジタル画像取り込み装置。
【請求項１７】
前記反射鏡モジュールは更に、
第四軸を中心に回転する台座と、
台座の一側に設けられて入光レンズからの光線をフォトセンサーに反射するための反射鏡と、
台座に設けられて台座につれて回転し、デジタル画像取り込み装置に必要な光線を提供するためのストロボとを含むことを特徴とする請求項１４記載のデジタル画像取り込み装置。
【請求項１８】
前記第四軸と反射鏡の法線の夾角が４５度であることを特徴とする請求項１７記載のデジタル画像取り込み装置。
【請求項１９】
前記反射鏡モジュールは更に、
上下に配列されて法線が直交するような第一反射鏡及び第二反射鏡と、
ハウジング内に設けられて、第一反射鏡が第一入光孔からの光線をフォトセンサーに反射できるような角度に移動するときに、デジタル画像取り込み装置に必要な光線を提供するための第一ストロボと、
ハウジング内に設けられて、第二反射鏡が第二入光孔からの光線をフォトセンサーに反射できるような角度に移動するときに、デジタル画像取り込み装置に必要な光線を提供するための第二ストロボとを含み、そのうち第一反射鏡と、第二反射鏡と、第一ストロボと、第二ストロボとはフォトセンサーに対して上下に移動して入光レンズからの光線を反射することを特徴とする請求項１４記載のデジタル画像取り込み装置。
【請求項２０】
前記デジタル画像取り込み装置がデジタルカメラまたはデジタルカムコーダーであることを特徴とする請求項１４記載のデジタル画像取り込み装置。
【請求項２１】
種々の方向にある画像を撮影できるデジタル画像取り込み装置であって、該デジタル画像取り込み装置は、
ハウジングと、
光線を入力するため少なくとも一つの入光孔と、
ハウジング内に設けられて少なくとも一つの入光孔から入力された光線を反射するための反射鏡モジュールと、
ハウジング内に設けられて反射鏡モジュールからの光線を感知するためのフォトセンサーと、
ハウジング内に設けられてフォトセンサーに感知された光線によって画像を生じさせるための画像発生モジュールとを含むことを特徴とするデジタル画像取り込み装置。
【請求項２２】
前記少なくとも一つの入光孔にミラーが取り付けられることを特徴とする請求項２１記載のデジタル画像取り込み装置。
【発明の詳細な説明】
【技術分野】
【０００１】
この発明はデジタル画像取り込み装置に関し、特に種々の角度で画像を取り込めるデジタル画像取り込み装置に関する。
【背景技術】
【０００２】
情報産業の発展に従って、デジタル製品はアナログ製品に取って代わりつつあり、そのうちデジタルカメラはその適例である。従来のカメラは、フィルムにある感光物質によって画像を記録して、複雑な現像手続きを踏まえて画像を再現するものである。特殊効果を要求すれば、絞り、シャッター、フィルター、現像技術などに熟練しなければならず、アマチュア使用者には不向きである。それと比較してデジタルカメラはフォトセンサーで画像をデジタル信号形式でメモリーに保存する。デジタルカメラはコンピューターシステムと接続できて、そのモニターまたはプリンターを通して画像を出力できる。のみならず、画像をプログラムで処理することが可能である。こうして従来のカメラと同じ効果、更に従来のカメラに求められない効果は可能になる。
【０００３】
図１と図２を参照する。図１と図２は従来のデジタルカメラ１０を表わす説明図である。デジタルカメラ１０は、被写体を取り込むレンズ１２と、ピント合わせと画像取り込みを制御するためのシャッターボタン１６と、液晶または低温ポリシリコン（ＬＴＰＳ）表示装置であって被写体を確認するためのビューファインダー１８と、画像編集、検索またはパラメーター設定をするためのボタンセット２０とを含む。
【０００４】
図３を参照する。図３はデジタルカメラ１０のブロック図である。デジタルカメラ１０は更に、電荷結合素子（ＣＣＤ）であってレンズ１２からの光線を感知するフォトセンサー２４と、フォトセンサー２４に感知された光線によって画像を生じさせてビューファインダー１８で表示するための画像発生モジュール２６を含む。
【０００５】
被写体を撮ろうとするとき、レンズ１２を被写体に向けなければならず、使用者もビューファインダー１８でしか被写体を見るほかない。使用者自身を撮ろうとすると、他人に任せるか三脚とセルフタイマーを合わせて利用する以外方法はない。しかし両方とも不便である。
【０００６】
図２２を参照する。図２２はその他の従来のデジタルカメラ１５０を表わす説明図である。図２２と図１において共同の番号を有するデバイスは同じ機能を有するため、ここでその説明を省略する。図１におけるデジタルカメラ１０との相違点は、図２２におけるデジタルカメラ１５０はビューファインダー１８をヒンジ１５２でカメラに取り付けることによって、使用者が自分を撮れるようにさせる。しかしヒンジ１５２は高コストのみならず、破損する恐れも潜在している。
【発明の開示】
【発明が解決しようとする課題】
【０００７】
この発明は前述の問題を解決するために、種々の方向にある画像を取り込める、特に使用者自身を撮れるデジタル画像取り込み装置を提供することを課題とする。
【課題を解決するための手段】
【０００８】
この発明はデジタル画像取り込み装置を提供する。該デジタル画像取り込み装置は、ハウジングと、ハウジングの前側に設けられてハウジングの前側からの光線を入力するための第一入光孔と、ハウジングの裏側に設けられてハウジングの裏側からの光線を入力するための第二入光孔と、ハウジング内に設けられて第一入光孔から入力された光線または第二入光孔から入力された光線を反射するための反射鏡モジュールと、ハウジング内に設けられて反射鏡モジュールからの光線を感知するためのフォトセンサーと、ハウジング内に設けられてフォトセンサーに感知された光線によって画像を生じさせるための画像発生モジュールとを含む。
【０００９】
この発明はその他のデジタル画像取り込み装置も提供する。該デジタル画像取り込み装置は、ハウジングと、ハウジングの前側から裏側に移動できるようにハウジングに設けられて、ハウジングの前側または裏側からの光線を入力するための入光レンズと、ハウジング内に設けられて入光レンズから入力された光線を反射するための反射鏡モジュールと、ハウジング内に設けられて反射鏡モジュールからの光線を感知するためのフォトセンサーと、ハウジング内に設けられてフォトセンサーに感知された光線によって画像を生じさせるための画像発生モジュールとを含む。
【発明の効果】
【００１０】
この発明によるデジタル画像取り込み装置はその前方か後方の被写体を自由に撮ることを可能にさせる。なお、この発明はレンズセットを利用して反射鏡モジュールにおける第一入光孔または第二入光孔から入力される光線の集束するため、レンズセットはデジタル画像取り込み装置の後方でなく左右に設けられ、デジタル画像取り込み装置の前後幅は縮小される。更に、この発明はヒンジを使用せずに反射鏡モジュールを調整するのみで種々の方向にある被写体を撮れる。
【発明を実施するための最良の形態】
【００１１】
かかる装置の特徴を詳述するために、具体的な実施例を挙げ、図示を参照にして以下に説明する。
【００１２】
図４と図５を参照する。図４と図５はこの発明によるデジタルカメラ３０を表わす説明図である。デジタルカメラ３０は、ハウジング３１と、ハウジング３１の前側に設けられてハウジング３１の前側からの光線を入力するための第一入光孔３２と、ピント合わせと画像取り込みを制御するためのシャッターボタン３６とを含む。デジタルカメラ３０は更に、液晶またはＬＴＰＳ表示装置であって被写体を確認するためのビューファインダー３８と、画像編集、検索またはパラメーター設定をするためのボタンセット２０と、ハウジング３１の裏側に設けられてハウジング３１の裏側からの光線を入力するための第二入光孔３４とを含む。第一入光孔３２と第二入光孔３４には防塵用ミラーが設けられる。
【００１３】
図６を参照する。図６はこの発明によるデジタルカメラ３０のブロック図である。デジタルカメラ３０はそのハウジング３１内に、第一入光孔３２または第二入光孔３４からの光線を反射するための反射鏡モジュール４８と、反射鏡モジュール４８からの光線をフォトセンサー４４に集束するためのレンズセット４２と、反射鏡モジュール４８からレンズセット４２を経由する光線を感知するフォトセンサー４４と、フォトセンサー４４に感知された光線によって画像を生じさせてビューファインダー３８で表示するための画像発生モジュール４６とが設けられる。
【実施例１】
【００１４】
この発明はいくつかの反射鏡モジュール４８を掲示する。図７と図８を参照する。図７はこの発明の実施例１による反射鏡モジュール４８が第一入光孔３２からの光線を反射することを表わす説明図であり、図８は図７における反射鏡モジュール４８ａが第二入光孔３４からの光線を反射することを表わす説明図である。反射鏡モジュール４８ａは、第一軸５８を中心に回転する台座５０と、台座５０の第一側に設けられて第一入光孔３２からの光線を反射するための第一反射鏡５２と、台座５０の第二側に設けられて第二入光孔３４からの光線を反射するための第二反射鏡５４と、台座５０の前側及び両反射鏡５２、５４の間に設けられて台座５０につれて回転し、デジタルカメラ３０に必要な光線を提供するためのストロボ５６とを含む。この実施例において、第一軸５８は台座５０と垂直し、台座５０は第一軸５８を中心に回転できる。第一反射鏡５２と第二反射鏡５４の法線は直交している。第一入光孔３２の前方にある被写体を撮ろうとする場合、反射鏡モジュール４８ａを図７のように調整したら、第一反射鏡５２は第一入光孔３２からの光線をレンズセット４２に反射し、また図６におけるフォトセンサー４４、画像発生モジュール４６の処理によって画像をビューファインダー３８に表示する。同じく、第二入光孔３４の前方にある被写体を撮ろうとする場合、反射鏡モジュール４８ａを図８のように回したら、第二反射鏡５４は第二入光孔３４からの光線をレンズセット４２に反射し、また図６におけるフォトセンサー４４、画像発生モジュール４６の処理によって画像をビューファインダー３８に表示する。
【実施例２】
【００１５】
図９と図１０を参照する。図９はこの発明の実施例２による反射鏡モジュール４８ｂが第一入光孔３２からの光線を反射することを表わす説明図であり、図１０は反射鏡モジュール４８ｂが第二入光孔３４からの光線を反射することを表わす説明図である。反射鏡モジュール４８ｂは、第二軸６８を中心に回転する台座６０と、台座６０の一側に設けられて第一入光孔３２または第二入光孔３４からの光線を反射するための反射鏡６２と、台座６０に設けられて台座６０につれて回転し、デジタルカメラ３０に必要な光線を提供するためのストロボ６６とを含む。そのうち第二軸６８と反射鏡６２の法線との夾角は４５度を呈する。この実施例において、台座６０は図９における第二軸６８を中心に回転できる。第一入光孔３２の前方にある被写体を撮ろうとする場合、台座６０を図９のように調整したら、反射鏡６２は第一入光孔３２からの光線をレンズセット４２に反射し、また図６におけるフォトセンサー４４、画像発生モジュール４６の処理によって画像をビューファインダー３８に表示する。同じく、第二入光孔３４の前方にある被写体を撮ろうとする場合、台座６０を図１０のように回したら（もっとも、この場合には台座６０は反射鏡６２とストロボ６６をかぶる）、反射鏡６２は第二入光孔３４からの光線をレンズセット４２に反射し、また図６におけるフォトセンサー４４、画像発生モジュール４６の処理によって画像をビューファインダー３８に表示する。
【実施例３】
【００１６】
図１１と図１２を参照する。図１１はこの発明の実施例３による反射鏡モジュール４８ｃが第一入光孔３２からの光線を反射することを表わす説明図であり、図１２は反射鏡モジュール４８ｃが第二入光孔３４からの光線を反射することを表わす説明図である。反射鏡モジュール４８ｃは、第三軸７８を中心に回転する反射鏡７２と、反射鏡７２が第一入光孔３２からの光線を反射できるような角度に回るときに、デジタルカメラ３０に必要な光線を提供するための第一ストロボ７４と、反射鏡７２が第二入光孔３４からの光線を反射できるような角度に回るときに、デジタルカメラ３０に必要な光線を提供するための第二ストロボ７６とを含む。第三軸７８は反射鏡７２の法線と垂直する。この実施例において、反射鏡７２は図１１における第三軸７２を中心に回転できる。第一入光孔３２の前方にある被写体を撮ろうとする場合、反射鏡モジュール４８ｃを図１１のように調整したら、反射鏡７２は第一入光孔３２からの光線をレンズセット４２に反射し、また図６におけるフォトセンサー４４、画像発生モジュール４６の処理によって画像をビューファインダー３８に表示する。同じく、第二入光孔３４の前方にある被写体を撮ろうとする場合、反射鏡モジュール４８ｃを図１２のように回したら、反射鏡７２は第二入光孔３４からの光線をレンズセット４２に反射し、また図６におけるフォトセンサー４４、画像発生モジュール４６の処理によって画像をビューファインダー３８に表示する。
【実施例４】
【００１７】
図１３と図１４を参照する。図１３はこの発明の実施例４による反射鏡モジュール４８ｄが第一入光孔３２からの光線を反射することを表わす説明図であり、図１４は反射鏡モジュール４８ｄが第二入光孔３４からの光線を反射することを表わす説明図である。反射鏡モジュール４８ｄは、上下に配列されて法線が直交する第一反射鏡８２と第二反射鏡８４と、第一反射鏡８２が第一入光孔３２からの光線を反射するときに、デジタルカメラ３０に必要な光線を提供するための第一ストロボ８２と、第二反射鏡８４が第二入光孔３４からの光線を反射するときに、デジタルカメラ３０に必要な光線を提供するための第二ストロボ８８とを含む。両反射鏡８２、８４と両ストロボ８６、８８はレンズセット４２に対して上下に移動することによって、第一反射鏡８２または第二反射鏡８４に反射された光線を受ける。
【００１８】
なお、従来のデジタルカメラ１０は光線をフォトセンサー２４に集束するために伸縮レンズを有するゆえ、前後幅は縮小されない。しかし図６におけるレンズセット４２は第一入光孔３２からの光線をそのまま受けることなく反射鏡モジュール４８に反射される光線を受けるため、デジタルカメラ１０の厚さを制限する原因はそれによって解消する。
【００１９】
図１５を参照する。図１５はこの発明の実施例２によるデジタルカメラ９０のブロック図である。デジタルカメラ９０は反射鏡モジュール４８と、第一レンズセット９２と、第二レンズセット９４と、フォトセンサー４４と、画像発生モジュール４６と、ビューファインダー３８を含む。図１５と図６において共同の番号を有するデバイスは同じ機能を有するため、ここでその説明を省略する。しかし、図１５におけるデジタルカメラ９０と図６におけるデジタルカメラ３０との相違点は、デジタルカメラ９０は２組のレンズセット９２、９４を有することである。そのうち第一レンズセット９２は第一入光孔３２と反射鏡モジュール４８との間に設けられて、第一レンズセット９２における各レンズの位置を調整することによって第一入光孔３２からの光線をフォトセンサー４４に集束し、第二レンズセット９４は第二入光孔３４と反射鏡モジュール４８との間に設けられて、第二レンズセット９４における各レンズの位置を調整することによって第二入光孔３４からの光線をフォトセンサー４４に集束する。その後、フォトセンサー４４、画像発生モジュール４６の処理によって第一入光孔３２または第二入光孔３４からの光線を画像に変換してビューファインダー３８に表示する。
【００２０】
図１６と図１７を参照する。図１６はこの発明の実施例３によるデジタルカメラ１００を表わす説明図であり、図１７は図１６におけるデジタルカメラ１００のブロック図である。デジタルカメラ１００はハウジング１０１と、ハウジング１０１の前側から裏側に移動できるようにハウジング１０１に設けられて、ハウジング１０１の前側または裏側からの光線を入力するための入光レンズ１０２と、ハウジング１０１内に設けられてレンズセット１０５からの光線を感知するためのフォトセンサー１０４と、反射鏡モジュール１０８とフォトセンサー１０４との間に設けられて反射鏡モジュール１０８からの光線をフォトセンサー１０４に集束するためのレンズセット１０５と、ハウジング１０１内に設けられてフォトセンサー１０４に感知された光線によって画像を生じさせるための画像発生モジュール１０６と、入光レンズ１０２から入力された光線を反射するための反射鏡モジュール１０８と、画像発生モジュール１０６による画像を表示するためのビューファインダー１１０とを含む。
【００２１】
図１８と図１９を参照する。図１８は図１６における入光レンズ１０２と反射鏡モジュール１０８を表わす透視図であり、図１９は第四軸１１２を中心に回った後の入光レンズ１０２と反射鏡モジュール１０８を表わす透視図である。反射鏡モジュール１０８は台座１１４と、反射鏡１１６と、台座１１４に設けられて台座１１４につれて回転でき、デジタルカメラ１００に必要な光線を提供するストロボ１１８とを含む。前方にある被写体を撮ろうとする場合、図１８によれば、前方被写体方向からの光線は入光レンズ１０２を通過して台座１１４の一側に設けられる反射鏡１１６によってレンズセットに反射され、またフォトセンサーと画像発生モジュールの処理を受けて画像としてビューファインダーに表示される。同じく、後方にある被写体を撮ろうとする場合、図１９の通りに入光レンズ１０２と反射鏡モジュール１０８を第四軸１１２を中心に回せば、入光レンズ１０２は後方被写体方向からの光線を受け、反射鏡１１６は光線をレンズセットに反射され、またフォトセンサーと画像発生モジュールは光線を処理して画像に変換してビューファインダーに表示する。このように入光レンズ１０２と反射鏡モジュール１０８を回すだけで前方または後方にある被写体は撮られる。
【００２２】
図２０と図２１を参照する。図２０は図１６における入光レンズ１０２と反射鏡モジュール１０８の更なる実施例を表わす透視図であり、図２１は図２０における反射鏡モジュール１０８ａが矢印Ａに沿って上に移動し、なお図２０における入光レンズ１０２が矢印Ｂに沿って回った後の様子を表わす透視図である。反射鏡モジュール１０８ａは、上下に配列されて法線が直交する第一反射鏡１２２と第二反射鏡１２４と、第一反射鏡１２２が入光レンズ１０２ａからの光線をレンズセットに反射できるように移動するときに、デジタルカメラ１００に必要な光線を提供するための第一ストロボ８２と、第二反射鏡１２４が入光レンズ１０２ａからの光線をレンズセットに反射できるように移動するときに、デジタルカメラ１００に必要な光線を提供するための第二ストロボ８８とを含む。図２０によれば、前方にある被写体を撮ろうとする場合、前方被写体方向からの光線は入光レンズ１０２ａを通過して第一反射鏡１２２によってレンズセットに反射され、またフォトセンサーと画像発生モジュールの処理を受けて画像としてビューファインダーに表示される。同じく、後方にある被写体を撮ろうとする場合、図２１の通りに入光レンズ１０２ａと反射鏡モジュール１０８ａを移動し、入光レンズ１０２ａからの光線を第二反射鏡１２４を通してレンズセットに反射する。こうして入光レンズ１０２ａは後方被写体方向からの光線を受け、第二反射鏡１２４は光線をレンズセットに反射され、またフォトセンサーと画像発生モジュールは光線を処理して画像に変換してビューファインダーに表示する。このように入光レンズ１０２ａと反射鏡モジュール１０８ａを移動するだけで前方または後方にある被写体は撮られる。
【００２３】
前述のデジタルカメラはこの発明の一例に過ぎず、この発明はデジタルカムコーダーなどのデジタル画像取り込み装置にも応用できる。
【００２４】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２５】
この発明による画像取り込み装置は反射鏡モジュールを利用して第一入光孔または第二入光孔からの光線を反射する。よってデジタル画像取り込み装置は第一入光孔の前方にある被写体だけでなく後方またはその他の方向にある被写体を撮ることができる。この発明は自分撮りの問題を解決するほか、反射鏡モジュールを利用して第一入光孔または第二入光孔からの光線を反射するため、レンズセットはデジタル画像取り込み装置の裏側でなく左右両側に置かれ、よってデジタル画像取り込み装置の前後幅は有効に縮減される。
【図面の簡単な説明】
【００２６】
【図１】従来のデジタルカメラを表わす第一説明図である。
【図２】従来のデジタルカメラを表わす第二説明図である
【図３】従来デジタルカメラのブロック図である。
【図４】この発明によるデジタルカメラを表わす第一説明図である。
【図５】この発明によるデジタルカメラを表わす第二説明図である。
【図６】この発明によるデジタルカメラのブロック図である。
【図７】この発明の実施例１による反射鏡モジュールが第一入光孔からの光線を反射することを表わす説明図である。
【図８】図７における反射鏡モジュールが第二入光孔からの光線を反射することを表わす説明図である。
【図９】この発明の実施例２による反射鏡モジュールが第一入光孔からの光線を反射することを表わす説明図である。
【図１０】図９における反射鏡モジュールが第二入光孔からの光線を反射することを表わす説明図である。
【図１１】この発明の実施例３による反射鏡モジュールが第一入光孔からの光線を反射することを表わす説明図である。
【図１２】図１１における反射鏡モジュールが第二入光孔からの光線を反射することを表わす説明図である。
【図１３】この発明の実施例４による反射鏡モジュールが第一入光孔からの光線を反射することを表わす説明図である。
【図１４】図１３における反射鏡モジュールが第二入光孔からの光線を反射することを表わす説明図である。
【図１５】この発明の実施例２によるデジタルカメラのブロック図である。
【図１６】この発明の実施例３によるデジタルカメラを表わす説明図である。
【図１７】図１６におけるデジタルカメラのブロック図である。
【図１８】図１６における入光レンズと反射鏡モジュールを表わす透視図である。
【図１９】図１８における第四軸を中心に回った後の入光レンズと反射鏡モジュールを表わす透視図である。
【図２０】図１６における入光レンズと反射鏡モジュールの更なる実施例を表わす透視図である。
【図２１】図２０における反射鏡モジュールが矢印Ａに沿って上に移動し、なお図２０における入光レンズが矢印Ｂに沿って回った後の様子を表わす透視図である。
【図２２】その他の従来のデジタルカメラを表わす説明図である。
【符号の説明】
【００２７】
１０、３０                デジタルカメラ
１２                      レンズ
１６                      シャッターボタン
１８、３８                ビューファインダー
２０、４０                ボタンセット
２４、４４                フォトセンサー
２６、４６                画像発生モジュール
４２                      レンズセット
３１                      ハウジング
３２、３４                入光孔
４８、４８ａ−ｄ          反射鏡モジュール
５０、６０                台座
５２、５４                反射鏡
５６、６６                ストロボ
５８                      第一軸
６２、７２                反射鏡
６８                      第二軸
７４、７６                ストロボ
７８                      第三軸
８２、８４                反射鏡
８６、８８                ストロボ
９０、１００              デジタルカメラ
９２、９４                レンズセット
１０１                    ハウジング
１０２、１０２ａ          入光レンズ
１０４                    フォトセンサー
１０５                    レンズセット
１０６                    画像発生モジュール
１０８、１０８ａ          反射鏡モジュール
１１０                    ビューファインダー
１１２                    第四軸
１１４                    台座
１１６                    反射鏡
１１８                    ストロボ
１２２、１２４            反射鏡
１２６、１２８            ストロボ
１５０                    デジタルカメラ
１５２                    ヒンジ
１５８                    ビューファインダー
【図１】
2005110196.tif 000003
【図２】
2005110196.tif 000004
【図３】
2005110196.tif 000005
【図４】
2005110196.tif 000006
【図５】
2005110196.tif 000007
【図６】
2005110196.tif 000008
【図７】
2005110196.tif 000009
【図８】
2005110196.tif 000010
【図９】
2005110196.tif 000011
【図１０】
2005110196.tif 000012
【図１１】
2005110196.tif 000013
【図１２】
2005110196.tif 000014
【図１３】
2005110196.tif 000015
【図１４】
2005110196.tif 000016
【図１５】
2005110196.tif 000017
【図１６】
2005110196.tif 000018
【図１７】
2005110196.tif 000019
【図１８】
2005110196.tif 000020
【図１９】
2005110196.tif 000021
【図２０】
2005110196.tif 000022
【図２１】
2005110196.tif 000023
【図２２】
2005110196.tif 000024